(57)【要約】【課題】複雑で高価な装置や電源を必要とすることがなく、使用者に体力的な負担がないばかりか測定も容易且つ正確なアイポイント測定倶を提供する。【解決手段】薄板により細長形状に形成されているとともにその一部を把持部とする測定具本体と、測定部本体の一部に具えられたシール状の少なくとも１つの測定部とからなり、測定部は少なくとも１つの小径の透視用孔が形成されているとともに外面の少なくとも透視用孔の周辺部分に適用する眼鏡フレームに装着されているダミーレンズへの貼付部が形成されていることを特徴とする。【選択図】図１
2010124840.tif 000002
【特許請求の範囲】
【請求項１】
薄板により細長形状に形成されているとともに一部を把持部とする測定具本体と、前記測定部本体の一部に具えられたシール状の少なくとも１つの測定部とからなり、前記測定部は少なくとも１つの小径の透視用孔が形成されているとともに内面の少なくとも前記透視用孔の周辺部分には、調製する眼鏡フレームに装着されているダミーレンズへの貼付部が形成されていることを特徴とするアイポイント測定具。
【請求項２】
前記測定具本体が着色されていることを特徴とする請求項１記載のアイポイント測定具。
【請求項３】
前記透視用孔の内周縁に沿って前記測定具本体と視覚により区別可能な異なる色彩によるリング状の着色部からなる枠表示がなされていることを特徴とする請求項１または２記載のアイポイント測定具。
【請求項４】
前記貼付部が測定部と一体に形成されていることを特徴とする請求項１，２または３記載のアイポイント測定具。
【請求項５】
前記測定部が前記測定具本体と別体に形成されているとともに前記測定部は内面に接着層を有して前記測定具本体に剥離可能に接着されていることを特徴とする請求項１，２または３記載の記載のアイポイント測定具。
【請求項６】
前記貼付部が糊なし接着構造で着脱可能であることを特徴とする請求項１，２，３，４または５記載のアイポイント測定具。
【請求項７】
前記測定部が前記透視用孔を中心として十字の基準線が放射状に表示されている請求項１，２，３，４，５または６記載のアイポイント測定具。
【請求項８】
前記測定部が複数設けられており少なくとも１つが累進レンズの近用部用である請求項１，２，３，４，５，６または７記載のアイポイント測定具。
【発明の詳細な説明】
【技術分野】
【０００１】
本発明は、眼鏡を作る際にフレームに装着されたレンズの光学的な中心位置と、眼鏡使用者のアイポイント（視線位置）とを合致させるために用いられるアイポイント測定具に関するものである。
【背景技術】
【０００２】
眼鏡は、医師による検眼の結果により決定された所定のレンズを、使用者が選んだ好みの眼鏡フレームにレンズ外周加工を施して作られるが、この際にレンズの光学中心を眼鏡フレームの中心や使用者の視線を無視した瞳孔位置に合わせて眼鏡フレームに取り付けることになる。
【０００３】
この際、眼鏡フレームに嵌合されたレンズの光学中心間距離（両眼Ｐ，Ｄ）および眼鏡フレームのブリッジ（鼻幅）中心からレンズの光学中心での距離（片眼Ｐ，Ｄ）を測定できる自動レンズメータが特開平５−２４０７３６号公報に提示されているが、このレンズメータはマイクロコンピュータやモニタなど高価で大掛かりな装置であるばかりか、眼鏡無フレームの鼻当て、使用者の眼、鼻、耳などの形状や位置はまちまちであり、使用者が装用したときにはフレームの中心が必ずしも使用者の瞳孔におけるアイポイント（視線）と一致するとは限らず、正確な視力が得られないばかりか、違和感を生じたり、視力の強制が適正でなくなり頭痛や肩こり、更には視力障害を生じる原因にもなっている。
【０００４】
そこで、従来から選択された眼鏡フレームを実際の使用者に装用させた状態で実際に使用者のアイポイントを測定して眼鏡フレームにおける装用時における使用者のアイポイントを定めてこれにレンズの中心を合わせて装着することにより眼鏡を掛けたときに使用者のアイポイントとレンズの光学中心とを一致させる手段が講じられている。
【０００５】
そして、前記アイポイントの測定手段として、例えば、使用者が実際に使用する眼鏡フレームを掛けた状態でその前方に配置した透視用孔を移動させてその透視用孔を通して指標を確認することにより実際の眼鏡フレームにおける使用者のアイポイントを測定するための測定具が例えば特開平８−９８８１０号公報、特開２０００−２８７９３１号公報、特開２００１−２１８７３９号公報などに提示されている。
【０００６】
ところが、これらの眼鏡フレームを掛けた状態で視標を用いるアイポイント測定具は、複数のマーキング部を移動可能に具えたガイドや液晶ディスプレイを使用者が装用した眼鏡フレームに装着してアイポイントを測定するものであり、前述の自動メータのような高価で大掛かりな装置ではなく、比較的簡易なものであるが、眼鏡フレームを介して使用者に重量が掛かることから肉体的な負担となり、更に、機械式のものは複数のマーキング部を一々止めねじなどにより固定しながら測定しなければならず測定が困難であり、液晶ディスプレイを用いるものは使用者が遠隔操作により測定するものであり測定操作がし難いという問題がある。
【０００７】
また、従来から特別な装置を用いずに使用者が眼鏡フレームを掛けた状態で水平視した状態でダミーレンズ上の視線位置にペンなどでマークを付けたりシールを貼る方法が用いられている。しかしながら、これらの測定方法は簡易ではあるが、検者が使用者の視線を観てマークしたりシールを貼るものであり、検者が熟練を要するばかりか検者の確認方向などによって誤差がでることになり正確な測定が困難である。また、マークやシールは一旦付けると位置を変えることがきわめて困難であり、調整しながら測定することができないという問題があり、特に、必要な両眼による視線の確認はきわめて困難である。
【特許文献１】特開平８−９８８１０号公報
【特許文献２】特開平５−２４０７３６号公報
【特許文献３】特開２０００−２８７９３１号公報
【特許文献４】特開２００１−２１８７３９号公報
【発明の開示】
【発明が解決しようとする課題】
【０００８】
本発明は、前記従来のアイポイント測定具が有している問題点を解決するためになされたものであり、複雑で高価な装置や電源を必要とすることがなく、使用者に体力的な負担がないばかりか測定も容易且つ正確なアイポイント測定倶を提供することを課題とする。
【課題を解決するための手段】
【０００９】
前記課題を解決するためになされた本発明であるアイポイント測定具は、薄板により細長形状に形成されているとともにその一部を把持部とする測定具本体と、前記測定部本体の一部に具えられたシール状の少なくとも１つの測定部とからなり、前記測定部は少なくとも１つの小径の透視用孔が形成されているとともに外面の少なくとも前記透視用孔の周辺部分に適用する眼鏡フレームに装着されているダミーレンズへの貼付部が形成されていることを特徴とする。
【００１０】
本発明であるアイポイント測定具は、ダミーレンズを装着した眼鏡フレームを掛けた状態でダミーレンズの前に測定部を配置するようにして基端の把持部を掴み、両瞳の中心における水平方向または斜下方の所定距離に配置した指標を測定部の透視用孔を通して視認し、視認できた際に測定部の内側に形成されている貼付部によりダミーレンズに接着して装着する眼鏡レンズの光学中心を合わせる位置（アイポイント）を決定する。尚、接着後にダミーレンズにおける透視用孔の部分にマークを付した後は測定部を取り外してもよい。
【００１１】
本発明は前述のごとく片眼ずつ測定をして最後に両眼により同一指標を確認することにより使用者の眼鏡フレームにおける正確なアイポイント（視線の中心）を測定可能であり、レンズの外周を加工してフレームに装着する際に前記アイポイントの位置にレンズの光学中心を合わせることにより使用者のアイポイントとレンズの光学中心が合致した正確な眼鏡を調製することができる。
【００１２】
また、本発明において、前記測定具本体が着色されている場合には検査の際に使用者が透視用孔の存在を容易に視認することができ、特に、前記透視用孔の内周縁に沿って前記測定具本体と視覚により区別可能な異なる色彩によるリング状の着色部からなる枠表示がなされている場合には更に透視用孔の存在をより簡単に視認することにより測定を容易にすることができる。
【００１３】
更に、本発明において、前記測定部に前記貼付部が一体に形成されている場合には製造が容易であるばかりか外観も美麗であり、前記測定部本体と測定部および前記貼付部が一体に形成されている場合には一層好ましい。
【００１４】
更にまた、前記測定部および前記貼付部の外面に接着層および剥離層が形成されているとともに前記貼付部における前記剥離層の部分を剥離可能とした場合には測定部だけをダミーレンズに接着することが可能であり特に最終段階で測定具本体と分離することができることにより取り扱いが容易である。
【００１５】
特に、前記貼付部が糊なし吸着構造である場合には測定部、更には測定具本体と一体に形成することができることから製造が容易であるばかりか接着剤のような不透明の部分が形成されないので見栄えがよいとともに、かなりの回数にわたって接着効果が持続するので複数回にわたって使用することができきわめて経済的であるとともに剥がした後も残らないのでダミーレンズを損傷する心配もない。
【発明の効果】
【００１６】
本発明であるアイポイント測定具は、きわめて廉価に製造可能で設置場所を必要としないばかりか、軽量であることとともに測定時にスケール上を移動させたり止めねじで固定するなどの面倒な操作を必要とせず、しかも測定は検者によらずに使用者本人が実際に視認することにより行われるのできわめて正確なアイポイントの測定が可能である。
【発明を実施するための最良の形態】
【００１７】
次に本発明の最良の形態について図面を参照して説明する。
【００１８】
図１乃至図３は本発明であるアイポイント測定具１の第１の実施の形態を示すものであり、特に、測定具本体２と測定部とが一体に形成されている形式のものである。更に詳細に説明すると、測定具本体２は例えばアクリル樹脂や塩化ビニル樹脂などの適宜の剛性と透光性を有する例えば０．１〜０．５ｍｍ程度の厚さを有する板材により例えば横幅が２ｃｍ、長さ１４ｃｍ程度の例えば定規のような長尺の矩形状に形成されており、内面に後述するダミーレンズへの貼付部４が形成されている。尚、測定具本体２は無色であってもよいが例えば薄い青色や黄色などの比較的落ち着いた色彩が付されていると良い。
【００１９】
特に、本実施の形態では前記貼付部４はいわゆる糊なしタイプのものであり、繰り返して貼り付け可能なものであり、例えばシリコンなどの自己吸着材からなるフィルムを積層してもよいが、ミクロ単位の多数の吸着穴により一体に形成することにより簡単に貼付部４を設けることができる。
【００２０】
また、本実施の形態では測定部３は測定具本体２の一端に印刷により形成された円形を呈するとともにその中心位置に例えば１〜数ｍｍ程度の小径の透視用孔３１が形成されている。また、この透視用孔３１の内周縁に沿って前記測定具本体２の薄い青色や黄色などの色彩と視覚により区別可能な例えば赤色の異なる色彩によるリング状の着色部からなる枠表示３２がなされており、更に、前記透視用孔３１を中心とした測定部本体２の軸線に平行並びに直交する十字の指標線３３が印刷により形成されている。尚、図面中、符号２１は測定具本体２の長さ方向の一辺に沿って形成された目盛（スケール）であり、例えば瞳孔間距離や鼻の位置や眼鏡フレームの寸法などの各種の長さを測定するためにスケールの変わりとして用いることができる。
【００２１】
このような本実施の形態を使用するには、まず、図４に示すように、使用者５の前方に両眼の瞳孔の中心で且つ水平位置の延長上に点視標或いは点光源により形成される遠方視標８ａを配置しておき、図５に示すように、使用者５が選択した眼鏡フレーム６（ダミーレンズ６１を装着したもの）を通常使用する状態で装用し、瞳孔が前記遠方視標４に対して所定の測定条件に合致するように対峙するとともに、非測定側の眼を遮閉してアイポイント測定具１の測定具本体２の測定部３と反対側の端部２２を把持して眼鏡フレーム６の測定側のダミーレンズ６１の前面にアイポイント測定具１の測定部３が重なるようにして、測定部３の中央位置に形成した透視用孔３１を通して前方に配置した遠方視標４が視認できるように透視用孔３１の位置を調節する。
【００２２】
このとき、本実施の形態では、透視用孔３１の内周縁に沿って前記測定具本体２の色彩と視覚により区別可能な例えば赤色の異なる色彩によるリング状の着色部からなる枠表示３２がなされているので、使用者は透視用孔３１に遠方視標４が合致しているか否かの判断を容易にすることができる。
【００２３】
また、本実施の形態では透視用孔３１を中心とした測定部本体２の軸線に平行並びに直交する十字の指標線３３が形成されている。従って、使用者は前記十字の指標線３３を視認しながら測定具本体２を上下または左右方向に容易且つ確実に移動させることかできるので透視用孔３１に遠方視標４をきわめて容易に合致させることができる。
【００２４】
そして、前記測定により透視用孔３１に遠方視標４に合致したならば、測定部３の内面を眼鏡フレーム６の測定側のダミーレンズ６１の前面に押圧して測定部３を貼り付けて固定する。尚、本実施の形態では前記貼付部４はいわゆる糊なしタイプのものであり、繰り返して貼り付け可能であることから最適な測定箇所に貼ればよい。
【００２５】
同様にして、もう一方の眼についても測定を行い、両眼について透視用孔３１に遠方視標４に合致したならばそれがアイポイントであり、前記ダミーレンズ６１に貼り付けられた測定部３の透視用孔３１位置をレンズの光学中心とを合致させてレンズ外周を加工することにより眼鏡フレーム６に嵌合させることにより眼鏡を調製すればよい。
【００２６】
尚、本実施の形態は前述のように貼付部４はいわゆる糊なしタイプのものであり、繰り返して貼り付け可能であることから再使用が可能であってきわめて経済てきである。また、レンズの加工まで測定部を貼り付けておくことが面倒である場合には測定後に透視用孔３１を通してマーカーペンなどによりマークを付してアイポイント測定具１を外してもよい。特に、本実施の形態では、測定部３はダミーレンズ６１の前面において使用するものであって再使用に際して衛生上の心配もない。
【００２７】
図６は本発明の第２の実施の形態を示すものであり、全体の構成や測定方法は前記図１乃至図５に示した第１の実施の形態とほぼ同様であるが、測定部３が測定具本体２から剥離可能である点が異なる。
【００２８】
即ち、測定部３は内面に貼付部４を形成した粘着テープ状に形成された測定部本体３４に一体に測定部３の部分だけを切り離し可能にして前記第１の実施の形態に示したものとほぼ同形状の測定具本体２に剥離可能に接着されさているものである。
【００２９】
このように構成された本実施の形態は測定後に、図７に示すように前記測定部３の部分だけを剥離してダミーレンズ６１に貼り付けて使用する。本実施の形態によれば測定後にシール状の測定部だけがダミーレンズ６１に貼り付けられることになり、測定具本体２を含めて貼り付ける前記実施例に比べて嵩張ったり剥がれたりすることがなく、特に、測定部３を貼ったままの状態でレンズ加工ができるのでマークを付す手間が不要で在るばかりかマークを付す際の誤差も生じない。
【００３０】
更に、図８は本発明の第３の実施の形態を示すものであり、全体の構成や使用方法は前記図６および７に示した第２の実施の形態とほぼ同様であるが、測定部３の部分だけが測定具本体２に粘着材などにより剥離可能に接着したものであり、その接着力を内面に設けた貼付部４の接着力よりも弱くしておくことにより測定具本体２をダミーレンズ６１に押圧して所定の強度で貼り付けることにより、そのままで測定具本体２を引き剥がすだけで前記図７に示した場合と同様に測定部３をダミーレンズ６１の所定位置に貼着させることができるのできわめて便利である。
【００３１】
尚、本実施の形態は測定具本体２と測定部３とが別体に形成されていることから一つの測定具本体２について複数の測定部３を接着して使用することができ、特に、使用時において別途に保管しておいた測定部３を接着して組み立てることも可能でありり、きわめて経済的でもある。
【００３２】
更にまた、図９および図１０は、本発明における第４の実施の形態を示すものであり、全体の構成は、前記図１乃至図５に示した実施の形態とほぼ同様に測定部３が測定具本体２と一体的に形成されているが、貼付部４が測定部３と一体に形成されたものでなく貼付部４が例えば両面の粘着シールにより形成されている点が異なる。
【００３３】
本実施の形態についての使用方法などは前記第１の実施の形態とほぼ同様であるが、本実施の形態は測定部３を印刷した測定具本体２に貼付部４を貼り付けるという簡単な作業で製品となるので製造が容易で且つ廉価に提供することができる。
【００３４】
図１１および図１２は本発明の第５の実施の形態を示すものであり、全体の構成や遠方視標５についての測定方法は前記図６に示した第２の実施の形態とほぼ同様であるが、測定具本体２の測定部３の設置端部と反対側の端部に遠近両用眼鏡（累進屈折レンズ）の近用部用の測定部７が設けられている点が異なる。
【００３５】
この近用部用の測定部７は本実施の形態では、中心よりも下方に近用部用透視用孔７１が形成されて測定部３と同様に測定具本体２から剥離可能であり、ダミーレンズ６１に中心をアイポイントに合わせて貼り付けて前記近用部用透視用孔７１を通して観ることにより目線をずらして視認することを理解させることができる。勿論、前記測定部と同様にして近用部用透視用孔７１の視野範囲を狭めて前記遠方視標４の斜め下方向に配置した近方視標８ｂ（図５参照）を用いて近用部用のアイポイントを測定することもできる。
【００３６】
また、本実施の形態は前記第２の実施の形態とほぼ同様の構成のアイポイント測定具１について近用部用の測定部７を設けたものを示したが、近用部用の測定部７は前記他のいずれの実施の形態について測定部３と併用して或いは測定部３の代わりに実施することができることはいうまでもない（図示せず）。
【００３７】
図１３および図１４は本発明の第６の実施の形態を示すものであり、全体の構成は前記図１乃至図３に示した第１の実施の形態とほぼ同様であり、また、近用部用の測定部７をも設けた点は前記図１１および１２に示した前記第５の実施の形態とほぼ同様であるが、貼付部４が測定具本体２の測定部３と近用部用の測定部７との内面の部分にだけ形成されているとともにそれらの貼付部４１，４２の部分をカバー４３，４４によりそれぞれ覆った構成である点および近用部用の測定部７の形状が異なる。
【００３８】
更に詳細に説明すると、本実施の形態は、例えば高さが８ｍｍ、幅が１５ｍｍ程度で適宜の薄さを有する縦長矩形状で例えば薄い青色や黄色などの比較的落ち着いた色彩を有するアクリル樹脂や塩化ビニル樹脂などの適宜の剛性と透光性を有する例えば０．１〜０．５ｍｍ程度の厚さを有する板材により形成されており、前記実施の形態に示したような測定部３と近用部用の測定部７とが測定具本体２にの長さ方向の両端に印刷などにより形成されている。
【００３９】
また、前記測定部３は前記実施の形態とほぼ同様で中心に例えば１〜数ｍｍ程度の小径の透視用孔３１が形成されている。また、この透視用孔３１の内周縁に沿って前記測定具本体２の薄い黄色などの色彩と視覚により区別可能な例えば赤色の異なる色彩によるリング状の着色部からなる枠表示３２がなされており、更に、前記透視用孔３１を中心とした測定部本体２の軸線に平行並びに直交する十字の指標線３３が印刷により形成されている。
【００４０】
一方、近用部用の測定部７は、 例えば直径が１０ｍｍ前後の近用部用透視用孔７１が形成されているとともにその内周縁に測定具本体２の色彩と視覚により区別可能な例えば赤色の異なる色彩によるリング状の着色部からなる枠表示７２がなされている。
【００４１】
そして、本実施の形態では、図１４に示すように、使用する測定部３または近用部用の測定部７の貼付部４１，４２を覆っているシート状のカバー４３，４４の何れかまたは一方を剥がして貼付部４１または４２の少なくとも一方を露出させて、例えば前記図５または図１２に示したと同様に使用者（図示せず）が着用した眼鏡フレーム６のダミーレンズ６１に貼り付けて前記と同様の手順によりアイポイントの調整や遠方指標の視認を行うことができる。
【００４２】
特に、本実施の形態では、貼付部４１，４２が前記実施の形態と同様に、糊なしタイプを用いることにより繰り返して取り付け可能であり、測定時においてダミーレンズ６１に貼り付ける調整位置の繰り返しての変更も支障なく正確な測定を可能にするばかりか他の眼鏡フレームについても繰り返して使用できるのできわめて経済的である。
【００４３】
加えて、使用時に取り外したカバー４３，４４は単なるシート材からなり接着機能を有していないので外した状態でも塵埃などが付着する心配もなく使用後にそのまま貼付部４１，４２に再カバーすることにより更に、長期の保存も可能であり衛生面も良好で再使用により経済面並びに環境面でも優れている。
【図面の簡単な説明】
【００４４】
【図１】本発明の第１の実施の形態を示す平面図である。
【図２】図１の一部拡大図である。
【図３】図２のＡ−Ａ線に沿う断面図である。
【図４】図１に示した実施の形態の使用状態を示す説明図である。
【図５】図１に示した実施の形態の使用状態を示す説明図である。
【図６】本発明の第２の実施の形態を示す分解した状態を示す斜視図である。
【図７】図６に示した実施の形態の使用状態を示す説明図である。
【図８】本発明の第３の実施の形態を示す分解した状態を示す斜視図である。
【図９】本発明の第４の実施の形態を示す分解した状態を示す斜視図である。
【図１０】図９に示した実施の形態の要部における拡大縦断面図である。
【図１１】本発明の第５の実施の形態を示す平面図である。
【図１２】図１１に示した実施の形態の使用状態を示す説明図である。
【図１３】本発明の第６の実施の形態を示すものであり、（ａ）は平面図、（ｂ）は側面図ある。
【図１４】図１３に示した実施の形態においてカバーを取り外した状態を示すものであり、（ａ）は平面図、（ｂ）は側面図ある。
【図１５】図１３に示した実施の形態の使用状態を示す説明図である。
【図１６】図１３に示した実施の形態の使用状態を示す説明図である。
【符号の説明】
【００４５】
１  アイポイント測定具、２  測定具本体、３  測定部、４  貼付部、６  眼鏡フレーム、７  測定部、３１  透視用孔、３２  枠表示、３３  基準線、６１  ダミーレンズ
【図１】
2010124840.tif 000003
【図２】
2010124840.tif 000004
【図３】
2010124840.tif 000005
【図４】
2010124840.tif 000006
【図５】
2010124840.tif 000007
【図６】
2010124840.tif 000008
【図７】
2010124840.tif 000009
【図８】
2010124840.tif 000010
【図９】
2010124840.tif 000011
【図１０】
2010124840.tif 000012
【図１１】
2010124840.tif 000013
【図１２】
2010124840.tif 000014
【図１３】
2010124840.tif 000015
【図１４】
2010124840.tif 000016
【図１５】
2010124840.tif 000017
【図１６】
2010124840.tif 000018